(57)【要約】【課題】場所を限定されることなく任意の場所で任意の電子機器の遠隔操作を行えるようにし、これによりユーザの利便性を高めた遠隔制御システムを提供する。【解決手段】リモートコントローラ４において送出された制御信号を、赤外線を介してＮＩＡＰ５の赤外線受光部１１に受光させて電気信号に変換するようにし、ＩＲ制御部１３により電気信号の信号波形をサンプリングし、このサンプリングデータをネットワーク通信制御部１４により有線ＬＡＮの伝送信号フォーマットに変換した後、この伝送データを制御対象となる電子機器を接続可能な他のＮＩＡＰに有線ＬＡＮを介して送出するようにしている。そして、他のＮＩＡＰでは、受信した伝送データを電子機器への発光パターン信号に変換し、この発光パターン信号を赤外線を介して電子機器に送出する。【選択図】      図２
2005192085.tif 000002
【特許請求の範囲】
【請求項１】
第１の伝送路に対し接続可能な少なくとも１つの電子機器と、この電子機器に対し前記第１の伝送路と異なる第２の伝送路を介して接続されるとともに、前記電子機器を遠隔制御する制御端末と、前記第１の伝送路を介して前記制御端末から前記電子機器に対し遠隔制御を可能にすべく前記第１の伝送路と前記第２の伝送路との間を接続する伝送路接続装置とを備え、
前記伝送路接続装置は、
前記制御端末から前記第２の伝送路を介して制御信号が到来した場合に、この制御信号を前記第１の伝送路の伝送信号フォーマットとなる制御データに変換すべく前記制御信号の信号波形をサンプリングするサンプリング手段を備えることを特徴とする遠隔制御システム。
【請求項２】
前記伝送路接続装置は、複数個備え、
これら複数の伝送路接続装置のうち少なくとも１つは、前記第２の伝送路を介して前記電子機器が接続されかつ前記第１の伝送路を介して制御データが到来した場合に、この制御データを前記第２の伝送路の伝送信号フォーマットに変換する変換手段をさらに備えたことを特徴とする請求項１記載の遠隔制御システム。
【請求項３】
前記サンプリング手段は、前記制御信号の他に該制御信号に比して高品質でリアルタイム性が要求されるサービス信号が前記第２の伝送路を介して到来したとき、このサービス信号を前記第１の伝送路の伝送信号フォーマットとなるサービスデータに変換すべく該サービス信号の信号波形をサンプリングし、しかる後に、前記制御データを前記サービスデータの時間軸上の空き領域に挿入して前記第１の伝送路に送出することを特徴とする請求項１記載の遠隔制御システム。
【請求項４】
前記変換手段は、前記制御データの他に該制御データに比して高品質でリアルタイム性が要求されるサービスデータが前記第１の伝送路を介して到来したとき、前記制御データと前記サービスデータとを振り分けて、それぞれ第２の伝送路の伝送信号フォーマットに変換することを特徴とする請求項２記載の遠隔制御システム。
【請求項５】
前記第２の伝送路は、赤外線通信路であり、
前記伝送路接続装置は、前記制御信号を赤外線信号から電気信号に変換する赤外線／電気変換手段をさらに備え、
前記サンプリング手段は、前記制御データに変換すべく前記電気信号の信号波形をサンプリングすることを特徴とする請求項１記載の遠隔制御システム。
【請求項６】
前記第２の伝送路は、赤外線通信路であり、
前記変換手段は、前記制御データを電気信号から赤外線信号に変換することを特徴とする請求項２記載の遠隔制御システム。
【請求項７】
前記第１の伝送路は、有線ローカル・エリア・ネットワーク及び無線ローカル・エリア・ネットワークのいずれか一方であることを特徴とする請求項１記載の遠隔制御システム。
【請求項８】
第１の通信手段と、
前記第１の通信手段によって通信可能な第１の伝送路接続装置と、
前記第１の通信手段によって通信可能であるとともに前記第１の伝送路接続装置とは異なる第２の伝送路接続装置と、
前記第１の通信手段とは異なる第２の通信手段によって前記第１の伝送路接続装置と通信可能な電子機器と、
前記第２の通信手段によって前記第２の伝送路接続装置と通信可能であるとともに前記電子機器を制御する制御端末とを具備し、
前記第２の伝送路接続装置は、
前記第１の通信手段によって伝送される信号フォーマットに変換すべく、前記制御端末から前記第２の通信手段によって到来する制御信号の信号波形をサンプリングするサンプリング手段を備えることを特徴とする遠隔制御システム。
【請求項９】
第１の伝送路に対し接続可能な少なくとも１つの電子機器と、この電子機器に対し前記第１の伝送路と異なる第２の伝送路を介して接続されるとともに、前記電子機器を遠隔制御する制御端末と、前記第１の伝送路を介して前記制御端末から前記電子機器に対し遠隔制御を可能にすべく前記第１の伝送路と前記第２の伝送路との間を接続する伝送路接続装置とを備えた遠隔制御システムで前記伝送路接続装置として使用される通信装置であって、
前記制御端末から前記第２の伝送路を介して制御信号が到来した場合に、この制御信号を前記第１の伝送路の伝送信号フォーマットとなる制御データに変換すべく前記制御信号の信号波形をサンプリングするサンプリング手段を備えたことを特徴とする遠隔制御システムの通信装置。
【請求項１０】
前記第２の伝送路を介して前記電子機器が接続されかつ前記第１の伝送路を介して制御データが到来した場合に、この制御データを前記第２の伝送路の伝送信号フォーマットに変換する変換手段をさらに備えたことを特徴とする請求項９記載の遠隔制御システムの通信装置。
【請求項１１】
第１の伝送路に対し接続可能な少なくとも１つの電子機器と、この電子機器に対し前記第１の伝送路と異なる第２の伝送路を介して接続されかつ前記電子機器を遠隔制御する制御端末との間を前記第１の伝送路を介して接続する通信装置の制御方法であって、
前記制御端末から前記第２の伝送路を介して制御信号が到来した場合に、この制御信号を前記第１の伝送路の伝送信号フォーマットとなる制御データに変換すべく前記制御信号の信号波形をサンプリングし、
前記制御データを前記電子機器に対し、前記第１の伝送路を介して送出することを特徴とする通信装置の制御方法。
【発明の詳細な説明】
【技術分野】
【０００１】
この発明は、例えばテレビジョン受信機、ビデオテープレコーダ、照明等といった電子機器に対しリモートコントローラを用いて遠隔制御を行う遠隔制御システム、この遠隔制御システムの通信装置及びこの通信装置の制御方法に関する。
【背景技術】
【０００２】
テレビジョン受信機やビデオテープレコーダに対し電源のオン・オフ、チャンネル選択、番組の記録再生等を行う場合、ユーザは一般にリモートコントローラを使用する。しかし、リモートコントローラは、一般に赤外線通信（IRDA：Infra Red Data Association）を使用しているため、赤外線がテレビジョン受信機やビデオテープレコーダ等の本体機器に到達可能な範囲内でしか使用できない。
【０００３】
また、最近では、一般の家庭内においてもホームサーバ等の電子機器に、通常のテレビジョン放送や衛星放送、ケーブルテレビジョン放送など多彩なマルチメディアソースからの映像信号を記録し、または映像信号を再生することが普通にできるようになってきている。この場合、ホームサーバを適当な場所に配置し、そこからテレビジョン受信機、衛星放送チューナ等へ有線ネットワークまたは無線ネットワークを敷設することが考えられている（例えば、特許文献１）。
【０００４】
一方、ホームサーバと、各チューナ及びテレビジョン受信機及びビデオテープレコーダ等を共通のネットワークにより接続するシステムも検討されている（例えば、特許文献２）。この場合、リモートコントローラとこのリモートコントローラにより遠隔制御可能な電子機器との対応関係を表すテーブルをネットワーク上の各接続機器に予め登録しておくようにしている。
【特許文献１】特開２０００−４７６８２公報
【特許文献２】特開２０００−１５２３４７公報。
【発明の開示】
【発明が解決しようとする課題】
【０００５】
ところが、上記システムでは、リモートコントローラと被制御機器との間を接続するために、専用のネットワーク及びネットワークインタフェースが必要となり、拡張性に乏しく、被制御機器の追加や変更に柔軟に対応することができない。また、システム全体として高価なものとなる。
【０００６】
また、複数の被制御機器を１つのネットワークを使用したシステムでも、被制御機器の追加、変更等のシステム変更が行われるごとに、ネットワーク上の各接続機器においてそれぞれテーブルの設定登録をやり直さなければならず、その作業に多くの時間と労力を要する。
【０００７】
この発明の目的は、場所を限定されることなく任意の場所で任意の電子機器の遠隔操作を行えるようにし、これによりユーザの利便性を高めた遠隔制御システム、この遠隔制御システムの通信装置及びこの通信装置の制御方法を提供することにある。
【課題を解決するための手段】
【０００８】
この発明は、上記目的を達成するために、以下のように構成される。  
第１の伝送路に対し接続可能な少なくとも１つの電子機器と、この電子機器に対し第１の伝送路と異なる第２の伝送路を介して接続されるとともに、電子機器を遠隔制御する制御端末と、第１の伝送路を介して制御端末から電子機器に対し遠隔制御を可能にすべく第１の伝送路と第２の伝送路との間を接続する伝送路接続装置とを備えた遠隔制御システムであって、伝送路接続装置は、制御端末から第２の伝送路を介して制御信号が到来した場合に、この制御信号を第１の伝送路の伝送信号フォーマットとなる制御データに変換すべく制御信号の信号波形をサンプリングするサンプリング手段を備えるようにしたものである。
【０００９】
この構成によれば、制御端末において送出された制御信号は、第２の伝送路を介して伝送路接続装置に受信され、伝送路接続装置により制御信号の信号波形がサンプリングされて第１の伝送路を伝送可能な信号フォーマットに変換されて第１の伝送路上の電子機器に送出されることになる。すなわち、制御端末では決められたデータフォーマットで制御信号を入力する必要がなくなり、また伝送路接続装置に制御端末と電子機器との対応関係を表すテーブルを登録しておく必要がなく、第１の伝送路に接続可能な電子機器であれば遠隔制御が可能となる。したがって、別室において制御端末を使用しても、第１の伝送路に接続されている電子機器であれば遠隔操作を行うことが可能となり、これによりユーザの利便性は大幅に改善される。また、第１の伝送路に接続可能な電子機器であれば、如何なるタイプの電子機器の追加や変更に容易に対応することが可能となる。
【００１０】
伝送路接続装置は、複数個備え、これら複数の伝送路接続装置のうち少なくとも１つは、第２の伝送路を介して電子機器が接続されかつ第１の伝送路を介して制御データが到来した場合に、この制御データを第２の伝送路の伝送信号フォーマットに変換する変換手段をさらに備えたことを特徴とする。
【００１１】
この構成によれば、電子機器が伝送路接続装置に対し第２の伝送路を介して接続可能な範囲内で、該電子機器を設置することができるので、電子機器の設置場所に自由度を持たせることができる。これにより、電子機器の設置が容易となり、ユーザにとっては電子機器の設置作業に必要な労力とコストを大幅に低減することが可能となる。
【００１２】
サンプリング手段は、制御信号の他に該制御信号に比して高品質でリアルタイム性が要求されるサービス信号が第２の伝送路を介して到来したとき、このサービス信号を第１の伝送路の伝送信号フォーマットとなるサービスデータに変換すべく該サービス信号の信号波形をサンプリングし、しかる後に、制御データをサービスデータの時間軸上の空き領域に挿入して第１の伝送路に送出することを特徴とする。
【００１３】
この構成によれば、サンプリングされた制御データがサービスデータの時間軸上の空き領域に挿入され第１の伝送路を介して電子機器に伝送されるので、第１の伝送路を利用した電子機器の遠隔制御要求とサービス信号の使用要求とが同一時間帯に発生した場合でも、これら制御データ及びサービスデータの伝送を相互に影響を及ぼすことなく並行して行えるようになり、これにより電子機器の遠隔制御とサービス制御とを効率良く実行できる。また、第１の伝送路を使用して制御データ及びサービスデータが伝送されるので、それぞれ専用の信号ラインを用いることなく、これによりシステムの配線構造を簡素化することができる。
【発明の効果】
【００１４】
以上詳述したようにこの発明によれば、場所を限定されることなく任意の場所で任意の電子機器の遠隔操作を行えるようにし、これによりユーザの利便性を高めた遠隔制御システム、この遠隔制御システムの通信装置及びこの通信装置の制御方法を提供することができる。
【発明を実施するための最良の形態】
【００１５】
以下、この発明の実施形態について図面を参照して詳細に説明する。  
（第１の実施形態）  
図１は、この発明に係わる遠隔制御システムの第１の実施形態を示す概略構成図である。  
このシステムは、第１の伝送路としての有線ＬＡＮ（Local Area Network）１と、電子機器としてのデジタルビデオテープレコーダ（以下、Ｄ−ＶＴＲと称する）２及びオーディオ・ビデオ用ハードディスク装置（以下、ＡＶ−ＨＤＤと称する）３と、制御端末としてのリモートコントローラ４と、伝送路接続装置としてのネットワークＩＲアクセスポイント（以下、ＮＩＡＰ）５，６，７，８とから構成される。
【００１６】
有線ＬＡＮ１は、各部屋Ｒ１〜Ｒ４を一巡するように配設されている。そして、有線ＬＡＮ１には、各部屋Ｒ１〜Ｒ４ごとにＮＩＡＰ５〜８が接続される。Ｄ−ＶＴＲ２は部屋Ｒ４に配置されており、赤外線を介してＮＩＡＰ８に接続される。ＡＶ−ＨＤＤ３は部屋Ｒ３に配置されており、赤外線を介してＮＩＡＰ７に接続される。リモートコントローラ４は、赤外線を介してＮＩＡＰ５に接続可能であり、Ｄ−ＶＴＲ２及びＡＶ−ＨＤＤ３を制御可能とする。
【００１７】
ところで、上記ＮＩＡＰ５〜８は次のように構成される。図２はその構成を示すブロック図である。ここでは、ＮＩＡＰ５を代表して説明する。図３は、ＮＩＡＰ５で処理される信号波形を示す図である。
【００１８】
ＮＩＡＰ５は、赤外線受光部１１と、赤外線発光部１２と、ＩＲ制御部１３と、ネットワーク通信制御部１４と、ネットワークインタフェース（Ｉ／Ｆ）部１５とを備えている。
【００１９】
リモートコントローラ４から送出される発光パターン信号は、赤外線を介して赤外線受光部１１により受光される。赤外線受光部１１は、発光パターン信号を図３（ａ）に示す明／暗の信号から図３（ｂ）に示す電圧波形パターンの信号に変換してＩＲ制御部１３に出力する。
【００２０】
ＩＲ制御部１３は、電圧波形パターン信号の信号波形を任意のサンプリング周期でサンプリングして、図３（ｃ）に示すデジタルデータに変換してネットワーク通信制御部１４に出力する。デジタルデータを入力すると、ネットワーク通信制御部１４は、Ｄ−ＶＴＲ２またはＡＶ−ＨＤＤ３にアクセスするように、ネットワークＩ／Ｆ部１５を制御する。ネットワークＩ／Ｆ部１５は、有線ＬＡＮ１に接続され、ネットワーク通信制御部１４の制御によってアクセス指示を受けると、有線ＬＡＮ１を通じてＤ−ＶＴＲ２またはＡＶ−ＨＤＤ３に接続し、Ｄ−ＶＴＲ２またはＡＶ−ＨＤＤ３との間で通信を可能とする。このとき、ネットワークＩ／Ｆ部１５は、図３（ｄ）に示す伝送データをＤ−ＶＴＲ２またはＡＶ−ＨＤＤ３に送信する。
【００２１】
有線ＬＡＮ１から到来した伝送データは、ネットワークＩ／Ｆ部１５及びネットワーク通信制御部１４を介してＩＲ制御部１３に供給される。ＩＲ制御部１３は、入力された伝送データを電圧波形パターンの信号に変換して赤外線発光部１２に出力する。赤外線発光部１２は、入力された電圧波形パターンの信号を発光パターン信号に変換し、この発光パターン信号を赤外線信号として送信する。
【００２２】
次に、以上のように構成されたシステムによる遠隔制御動作を説明する。図４はＮＩＡＰ５による制御手順及びその内容を示すフローチャート、図５はＮＩＡＰ８による制御手順及びその内容を示すフローチャートである。
【００２３】
Ｄ−ＶＴＲ２に対し番組予約を行う際に、ユーザはリモートコントローラ４において番組予約モードを設定し、例えば日付と番組番号、或いは日付とチャンネル番号と番組開始時刻を入力したとする。すると、入力した予約データがリモートコントローラ４からＮＩＡＰ５へ赤外線を介して送信される。
【００２４】
ＮＩＡＰ５は、リモートコントローラ４から発光パターン信号を受信すると、ステップＳＴ４ａからステップＳＴ４ｂに移行し、この発光パターン信号を電圧パターン信号に変換し、この電圧パターン信号の信号波形を任意のサンプリング周期でサンプリングし（ステップＳＴ４ｃ）、このサンプリングデータを有線ＬＡＮ１伝送用のデータフォーマットに変換する（ステップＳＴ４ｄ）。以後、ＮＩＡＰ５は、伝送データを有線ＬＡＮ１を介してＤ−ＶＴＲ２へ送信する（ステップＳＴ４ｅ）。
【００２５】
そうして予約入力した番組をＤ−ＶＴＲ２に設定するべく、伝送データが有線ＬＡＮ１を介してＮＩＡＰ８に到来したとする。そうすると、ＮＩＡＰ８は、ステップＳＴ５ａからステップＳＴ５ｂに移行し、伝送データを電圧パターン信号に変換する。そして、ＮＩＡＰ８は、電圧パターン信号を発光パターン信号に変換し（ステップＳＴ５ｃ）、この発光パターン信号をＤ−ＶＴＲ２に対し赤外線を介して送信する（ステップＳＴ５ｄ）。
【００２６】
なお、上記サンプリング周期は、発光パターンを再現する精度に影響するが、使用する有線ＬＡＮ１のデータ伝送性能とデータの圧縮アルゴリズムにより最適なものを選択できるので、ここでは任意とする。
【００２７】
以上のように第１の実施形態によれば、リモートコントローラ４において送出された制御信号を、赤外線を介してＮＩＡＰ５に受信させるようにし、ＮＩＡＰ５により制御信号の信号波形をサンプリングし、このサンプリングデータを有線ＬＡＮ１の伝送信号フォーマットに変換した後、この伝送データを例えばＤ−ＶＴＲ２を接続可能なＮＩＡＰ８に送出するようにしている。
【００２８】
従って、リモートコントローラ４では決められたデータフォーマットで制御信号を入力する必要がなくなり、またＮＩＡＰ５〜８にリモートコントローラ４とＤ−ＶＴＲ２との対応関係を表すテーブルを登録しておく必要がなく、ＮＩＡＰ５〜８に接続可能な電子機器であれば遠隔制御が可能となる。したがって、別室においてリモートコントローラ４を使用しても、ＮＩＡＰ５〜８に接続可能な電子機器であれば遠隔操作を行うことが可能となり、これによりユーザの利便性は大幅に改善される。また、ＮＩＡＰ５〜８に接続可能な電子機器であれば、如何なるタイプの電子機器の追加や変更に容易に対応することが可能となる。
【００２９】
また、第１の実施形態によれば、例えばＤ−ＶＴＲ２がＮＩＡＰ８に対し赤外線を介して接続可能な範囲内で、Ｄ−ＶＴＲ２を設置することができるので、部屋Ｒ４内でＤ−ＶＴＲ２の設置場所に自由度を持たせることができる。これにより、Ｄ−ＶＴＲ２の設置が容易となり、ユーザにとってはＤ−ＶＴＲ２の設置作業に必要な労力とコストを大幅に低減することが可能となる。
【００３０】
（第２の実施形態）  
図６は、この発明に係わる遠隔制御システムの第２の実施形態を示す概略構成図である。なお、図６において、上記図１と同一部分には同一符号を付して詳細な説明を省略する。  
このシステムは、部屋Ｒ１に配置されたステレオ機器９から発生している楽曲等のステレオデータを、別の部屋Ｒ３でユーザがコードレスヘッドフォン９ａにより聴いているものとする。
【００３１】
この場合、ＩＲ制御部１３は、ステレオデータとなる電圧パターン信号を制御データと同様にサンプリングする。
【００３２】
次に、以上のように構成されたシステムによる遠隔制御動作を説明する。図７はＮＩＡＰ５による制御手順及びその内容を示すフローチャートである。
【００３３】
Ｄ−ＶＴＲ２に対し番組予約を行う際に、ユーザはリモートコントローラ４において番組予約モードを設定し、例えば日付と番組番号、或いは日付とチャンネル番号と番組開始時刻を入力したとする。すると、入力した予約データがリモートコントローラ４からＮＩＡＰ５へ赤外線を介して送信される。
【００３４】
ＮＩＡＰ５は、リモートコントローラ４から発光パターン信号を受信すると、ステップＳＴ７ａからステップＳＴ７ｂに移行し、この発光パターン信号を電圧パターン信号に変換し、この電圧パターン信号の信号波形を任意のサンプリング周期でサンプリングし（ステップＳＴ７ｃ）、このサンプリングデータを有線ＬＡＮ１伝送用のデータフォーマットに変換する（ステップＳＴ７ｄ）。
【００３５】
続いて、ＮＩＡＰ５は、ステレオデータを有線ＬＡＮ１に送信中であるか否かの判断を行う（ステップＳＴ７ｅ）。ここで、ステレオデータが送信されていなければ（Ｎｏ）、ＮＩＡＰ５は、フォーマット変換された制御データを有線ＬＡＮ１を介してＮＩＡＰ８へ送信する（ステップＳＴ７ｆ）。
【００３６】
一方、ステレオデータが送信されているならば（Ｙｅｓ）、ＮＩＡＰ５は、図８に示すように、ステレオデータの時間軸上の空き領域に制御データを挿入して有線ＬＡＮ１を介してＮＩＡＰ８へ送信する（ステップＳＴ７ｇ）。
【００３７】
図９はＮＩＡＰ８による制御手順及びその内容を示すフローチャートである。
【００３８】
予約入力した番組をＤ−ＶＴＲ２に設定するべく、制御データが有線ＬＡＮ１を介してＮＩＡＰ８に到来したとする。そうすると、ＮＩＡＰ８は、ステップＳＴ９ａからステップＳＴ９ｂに移行し、制御データを電圧パターン信号に変換する。そして、ＮＩＡＰ８は、電圧パターン信号を発光パターン信号に変換する（ステップＳＴ９ｃ）。
【００３９】
続いて、ＮＩＡＰ８は、発光パターン信号にステレオデータが含まれているか否かの判断を行う（ステップＳＴ９ｄ）。ここで、ステレオデータが含まれていなければ（Ｎｏ）、ＮＩＡＰ８は、発光パターン信号をＤ−ＶＴＲ２に対し赤外線を介して送信する（ステップＳＴ９ｅ）。
【００４０】
一方、ステレオデータが送信されているならば（Ｙｅｓ）、ＮＩＡＰ８は、ステレオデータと制御データとを振り分け（ステップ９ｆ）、ステレオデータを発光パターン信号としてコードレスヘッドフォン９ａに対し赤外線を介して送信するとともに、制御データを発光パターン信号をＤ−ＶＴＲ２に対し赤外線を介して送信する（ステップＳＴ９ｇ）。
【００４１】
以上のように第２の実施形態では、ＮＩＡＰ５においてサンプリングされたリモートコントローラ４からの制御データをステレオ機器９からのステレオデータの時間軸上の空き領域に挿入し有線ＬＡＮ１を介してＤ−ＶＴＲ２に伝送するようにしている。
【００４２】
従って、有線ＬＡＮ１を利用したＤ−ＶＴＲ２の遠隔制御要求とステレオデータの使用要求とが同一時間帯に発生した場合でも、これら制御データ及びステレオデータの伝送を相互に影響を及ぼすことなく並行して行えるようになり、これによりＤ−ＶＴＲ２の遠隔制御とステレオデータの伝送制御とを効率良く実行できる。
【００４３】
また、有線ＬＡＮ１を使用して制御データ及びステレオデータが伝送されるので、それぞれ専用の信号ラインを用いることなく、これによりシステムの配線構造を簡素化することができる。
【００４４】
（その他の実施形態）  
なお、この発明は上記各実施形態に限定されるものではない。上記第１の実施形態では、Ｄ−ＶＴＲ２を遠隔制御する例について説明したが、ＡＶ−ＨＤＤ３を遠隔制御する場合にも同様に適用可能である。
【００４５】
また、上記第２の実施形態では、ステレオデータの空き領域に制御データを挿入する例について説明したが、例えば盗聴の危険性の少ない親子電話の子機間の通話信号中の空き領域に制御データを挿入するようにしてもよい。その他に、制御データを制御データに比して高品質でリアルタイム性が要求されるサービスデータに挿入するようにしてもよい。
【００４６】
また、上記各実施形態では、電子機器としてＤ−ＶＴＲ２及びＡＶ−ＨＤＤ３を使用した場合を例にとって説明したが、テレビジョン受信機、パーソナル・コンピュータ、電子炊飯器、照明等でもよい。また、制御端末についても、リモートコントローラに限らず、赤外線を介してＮＩＡＰに接続可能な携帯電話機、デジタルカメラやオーディオプレーヤ、時計等を使用することが可能である。
【００４７】
また、上記各実施形態では、電子機器となるＤ−ＶＴＲ及びＡＶ−ＨＤＤを赤外線を介してＮＩＡＰに接続する例について説明したが、これに限ることなく、有線ＬＡＮに直接接続されるものであってもよい。
【００４８】
さらに、上記各実施形態では、有線ＬＡＮを使用する例について説明したが、これに限らず、無線ＬＡＮであってもよい。また、上記各実施形態では、第２の伝送路として赤外線を使用する例について説明したが、赤外線以外のものであってもよい。
【００４９】
その他、システム構成、ＮＩＡＰの構成、有線ＬＡＮの種類、遠隔制御手順とその内容等についても、この発明の要旨を逸脱しない範囲で種々変形して実施できる。
【図面の簡単な説明】
【００５０】
【図１】この発明に係わる遠隔制御システムの第１の実施形態を示す概略構成図。
【図２】図１に示したＮＩＡＰの構成を示すブロック図。
【図３】同第１の実施形態におけるＮＩＡＰで処理される信号波形を示す図。
【図４】同第１の実施形態における制御側のＮＩＡＰによる制御手順及びその内容を示すフローチャート。
【図５】同第１の実施形態における被制御側のＮＩＡＰによる制御手順及びその内容を示すフローチャート。
【図６】この発明に係わる遠隔制御システムの第２の実施形態を示す概略構成図。
【図７】同第２の実施形態における制御側のＮＩＡＰによる制御手順及びその内容を示すフローチャート。
【図８】同第２の実施形態において、制御データがステレオデータに挿入される様子を示す波形図。
【図９】同第２の実施形態における被制御側のＮＩＡＰによる制御手順及びその内容を示すフローチャート。
【符号の説明】
【００５１】
１…有線ＬＡＮ、２…デジタルビデオテープレコーダ（Ｄ−ＶＴＲ）、３…オーディオ・ビデオ用ハードディスク装置（ＡＶ−ＨＤＤ）、４…リモートコントローラ、５〜８…ＩＲアクセスポイント（ＮＩＡＰ）、９…ステレオ機器、９ａ…コードレスヘッドフォン、１１…赤外線受光部、１２…赤外線発光部、１３…ＩＲ制御部、１４…ネットワーク通信制御部、１５…ネットワークインタフェース部、Ｒ１〜Ｒ４…部屋。
【図１】
2005192085.tif 000003
【図２】
2005192085.tif 000004
【図３】
2005192085.tif 000005
【図４】
2005192085.tif 000006
【図５】
2005192085.tif 000007
【図６】
2005192085.tif 000008
【図７】
2005192085.tif 000009
【図８】
2005192085.tif 000010
【図９】
2005192085.tif 000011